(57)【特許請求の範囲】
【請求項１】
施錠されたセキュリティドアを解錠操作が行われたときに解錠するドア制御装置であり、
前記セキュリティドアを有するセキュリティ室の外部に設置される入力装置に入力された情報に基づいて、前記入力装置への情報入力の操作が予め定められた不正な解錠操作に該当するか判定する操作判定部と、
前記操作判定部が前記情報入力の操作を不正な解錠操作と判定した場合、前記セキュリティドアを解錠し、解錠により戸開した前記セキュリティドアが戸閉したときに前記セキュリティドアを施錠し、前記セキュリティ室の内部で所定の退出用の解錠操作を検出するセンサにより退出用の解錠操作が検出されたときに前記セキュリティドアの施錠を維持する錠制御部と
を備えたことを特徴とするドア制御装置。
【請求項２】
前記操作判定部は、前記入力装置への情報入力の操作が予め定められた通常の解錠操作と予め定められた不正な解錠操作とその他の解錠操作とのいずれに該当するか判定し、
前記錠制御部は、
前記操作判定部が前記情報入力の操作を通常の解錠操作と判定した場合、前記セキュリティドアを解錠し、解錠により戸開した前記セキュリティドアが戸閉したときに前記セキュリティドアを施錠し、前記セキュリティ室の内部で所定の退出用の解錠操作を検出するセンサにより退出用の解錠操作が検出されたときに前記セキュリティドアを解錠し、
前記操作判定部が前記情報入力の操作をその他の解錠操作と判定した場合、前記セキュリティドアの施錠を維持する
ことを特徴とする請求項１記載のドア制御装置。
【請求項３】
前記ドア制御装置は、さらに、
予め定められた通常操作の暗証番号と予め定められた不正操作の暗証番号とを記憶する暗証番号記憶部を備え、
前記操作判定部は、前記入力装置に入力された情報を入力暗証番号として前記通常操作の暗証番号と前記不正操作の暗証番号と比較し、前記入力暗証番号が前記通常操作の暗証番号と一致する情報入力の操作を通常の解錠操作と判定し、前記入力暗証番号が前記不正操作の暗証番号と一致する情報入力の操作を不正な解錠操作と判定し、前記入力暗証番号が前記通常操作の暗証番号と前記不正操作の暗証番号とのいずれとも一致しない情報入力の操作をその他の解錠操作と判定する
ことを特徴とする請求項２記載のドア制御装置。
【請求項４】
前記ドア制御装置は、さらに、
利用者に発行されるＩＣカードに記憶されるＩＤと一致する登録ＩＤと予め定められた登録暗証番号とを記憶する識別情報記憶部を備え、
前記操作判定部は、前記入力装置に入力された第１の情報を読取ＩＤとして前記登録ＩＤと比較すると共に前記入力装置に入力された第２の情報を入力暗証番号として前記登録暗証番号と比較し、前記登録ＩＤと一致する前記読取ＩＤが入力されると共に前記登録暗証番号と一致する前記入力暗証番号が入力される情報入力の操作を通常の解錠操作と判定し、前記登録ＩＤと一致する前記読取ＩＤが入力されると共に前記入力暗証番号が入力されない情報入力の操作を不正な解錠操作と判定し、前記読取ＩＤが入力されないと共に前記登録暗証番号と一致する前記入力暗証番号が入力される情報入力の操作を不正な解錠操作と判定し、前記登録ＩＤと一致しない前記読取ＩＤと前記登録暗証番号と一致しない前記入力暗証番号との少なくともいずれかが入力される情報入力の操作をその他の解錠操作と判定する
ことを特徴とする請求項２記載のドア制御装置。
【請求項５】
前記ドア制御装置は、さらに、
利用者が所持するＩＣカードに記憶されるＩＤと一致する登録ＩＤおよび利用者が紛失したＩＣカードに記憶されるＩＤと一致する紛失ＩＤとを記憶する識別情報記憶部を備え、
前記操作判定部は、前記入力装置に入力された情報を読取ＩＤとして前記登録ＩＤと前記紛失ＩＤと比較し、前記読取ＩＤが前記登録ＩＤと一致する情報入力の操作を通常の解錠操作と判定し、前記読取ＩＤが前記紛失ＩＤと一致する情報入力の操作を不正な解錠操作と判定し、前記読取ＩＤが前記登録ＩＤと前記紛失ＩＤとのいずれとも一致しない情報入力の操作をその他の解錠操作と判定する
ことを特徴とする請求項２記載のドア制御装置。
【請求項６】
前記ドア制御装置は、さらに、
前記操作判定部が前記情報入力の操作を不正な解錠操作と判定した場合、不正な解錠操作が行われたことを示す警報通知を所定の装置に送信し、前記所定の装置の利用者に不正な解錠操作に対する対応を促す通報部
を備えることを特徴とする請求項１〜請求項５いずれかに記載のドア制御装置。
【請求項７】
請求項６記載のドア制御装置と、
前記セキュリティ室を警備する警備員が待機する警備センターに設置され、前記ドア制御装置と通信接続し、前記ドア制御装置の前記通報部から前記所定の装置として前記警報通知を受信し、前記セキュリティ室に向うことを前記警備員に指示する情報を前記警備通知を受信したときに出力装置に出力するセンター装置と
を有することを特徴とするセキュリティシステム。
【発明の詳細な説明】
【技術分野】
【０００１】
本発明は、例えば、セキュリティ管理に用いられるドア制御装置およびセキュリティシステムに関するものである。
【背景技術】
【０００２】
脅迫によりテンキー操作を強要されたことを、脅迫者に知られず、緊急番号を使わず、安全かつ確実に通報するセキュリティ装置がある（特許文献１）。
【特許文献１】特開平６−１７５６５号公報
【発明の開示】
【発明が解決しようとする課題】
【０００３】
従来、暗証番号を不正に入手するなどの悪意による解錠操作に対し、解錠しないことや、警報を通知する対策が講じられてきた。
しかし、従来技術には、不正な解錠操作をした者を捕らえられないという課題が有る。
【０００４】
本発明は、例えば、不正な解錠操作をした者を捕らえられるようなセキュリティシステムを提供できるようにすることを目的とする。
【課題を解決するための手段】
【０００５】
本発明のドア制御装置は、施錠されたセキュリティドアを解錠操作が行われたときに解錠するドア制御装置であり、前記セキュリティドアを有するセキュリティ室の外部に設置される入力装置に入力された情報に基づいて、前記入力装置への情報入力の操作が予め定められた不正な解錠操作に該当するか判定する操作判定部と、前記操作判定部が前記情報入力の操作を不正な解錠操作と判定した場合、前記セキュリティドアを解錠し、解錠により戸開した前記セキュリティドアが戸閉したときに前記セキュリティドアを施錠し、前記セキュリティ室の内部で所定の退出用の解錠操作を検出するセンサにより退出用の解錠操作が検出されたときに前記セキュリティドアの施錠を維持する錠制御部とを備える。
【発明の効果】
【０００６】
本発明によれば、例えば、不正な解錠操作をして入室した不正者を閉じ込めることにより、不正者を捕らえられるようなセキュリティシステムを提供することができる。
【発明を実施するための最良の形態】
【０００７】
実施の形態１．
図１は、実施の形態１におけるセキュリティシステム１の構成図である。
実施の形態１におけるセキュリティシステム１の構成について、図１に基づいて以下に説明する。
【０００８】
セキュリティシステム１は、特定の者のみに入室が制限されているセキュリティルーム４の入退出を管理するシステムである。セキュリティシステム１は、セキュリティルーム４への不正な入室があった場合、入室した不正者をセキュリティルーム４内に閉じ込め、警備センター２への通報を行い、セキュリティルーム４に駆け付けた警備員により不正者が捕らえられるようにする。
セキュリティシステム１には、セキュリティルーム４への入室が許可される利用者が予め登録され、登録されている各利用者には、個々を識別するＩＤが記録された非接触式ＩＣカード（以下、ＩＤカードという）が発行されていると共に特定の暗証番号が設定されている。ここで、暗証番号とは、パスワードの一例であり、数字だけでなく文字列なども含むものとする。
以下、セキュリティルーム４に登録されている利用者を「登録者」という。
【０００９】
セキュリティルーム４の入り口には、通常時には施錠され、解錠操作が行われたときに解錠するドア４１（セキュリティドア）が設けられている。
ドア４１には、後述するコントローラ３からの電気信号により、施錠・解錠される電気錠が取り付けられている。
【００１０】
また、ドア４１の脇には後述するコントローラ３と共に、セキュリティルーム４への入室を希望する利用者により利用者の識別情報が入力される認証装置３３および暗証番号入力装置３４が設置されている。
認証装置３３は、利用者のＩＤカードから利用者のＩＤ（利用者の識別情報の一例）を読み取るカードリーダ（入力装置）である。
暗証番号入力装置３４は、テンキー（文字キーでもよい）を有し、利用者に押下されたキーの情報を利用者の暗証番号（利用者の識別情報の一例）として入力する入力装置である。
利用者は、ドア４１に対する解錠操作（入力装置への情報入力の操作）として、ＩＤカードを認証装置３３にかざして自己のＩＤを認証装置３３に入力し、さらに、テンキーを押下して自己の暗証番号を暗証番号入力装置３４に入力する。
【００１１】
コントローラ３（ドア制御装置）は、制御部３１（錠制御部、通報部）、認証部３２（操作判定部）および記憶部３９（暗証番号記憶部、識別情報記憶部）を備え、ドア４１の電気錠を解錠・施錠する装置である。
【００１２】
認証部３２（操作判定部）は、利用者により所定の解錠操作がされたことを認証する認証処理をＣＰＵを用いて実行する。認証処理はプログラムとして記憶機器に記憶され、以下で説明する認証部３２の動作はプログラムとＣＰＵとにより実行される。
認証処理では、認証装置３３により読み取られた利用者のＩＤ（以下、読取ＩＤ９１という）と暗証番号入力装置３４に入力された利用者の暗証番号（以下、入力暗証番号９２という）とに基づいて、入室時の解錠操作の種類が判別される。
入室時の解錠操作の種類には、予め定められた「通常の解錠操作」、予め定められた「不正な解錠操作」及びそれ以外の「その他の解錠操作」がある。
【００１３】
「通常の解錠操作」は入退出が許可される操作であり、「不正な解錠操作」は入室のみ許可され退室が許可されない操作であり、「その他の解錠操作」は入室が許可されない操作である。
【００１４】
制御部３１（錠制御部、通報部）は、認証部３２の認証結果９３および後述するドアセンサ３５の検出信号９４に基づいて、ドア４１を解錠するか又は施錠するかＣＰＵを用いて判定する。そして、制御部３１は、判定結果に基づいて、解錠信号９５を出力してドア４１を解錠し、また、施錠信号９６を出力してドア４１を施錠する。
ドア４１は、制御部３１から解錠信号９５が出力されたときに電気錠を解錠し、制御部３１から施錠信号９６が出力されたときに電気錠を施錠する。
ドアセンサ３５は、セキュリティルーム４内においてドア４１の上部に設置され、セキュリティルーム４内の利用者がドア４１の前に立ったことを退出用の解錠操作として検出する赤外線センサである。退出用の解錠操作を検出したドアセンサ３５は、検出信号９４を制御部３１に出力する。
【００１５】
例えば、制御部３１は、認証部３２の認証結果９３が「通常の解錠操作」を示す場合、ドア４１を解錠し、解錠により戸開したドア４１が戸閉したときにドア４１を施錠し、ドアセンサ３５から検出信号９４が出力されたときにドア４１を解錠し、解錠により戸開したドア４１が戸閉したときにドア４１を施錠する。これにより、入室時に通常の解錠操作を行った利用者を、セキュリティルーム４に入室させ、また、セキュリティルーム４から退室させることができる。
また例えば、制御部３１は、認証部３２の認証結果９３が「その他の解錠操作」を示す場合、ドア４１を解錠せず、ドア４１の施錠を維持する。施錠が維持されたドア４１は戸開しない。これにより、入室時に所定の解錠操作（通常の解錠操作または不正な解錠操作）を行わない利用者を、セキュリティルーム４に入室させないことができる。
また例えば、制御部３１は、認証部３２の認証結果９３が「不正な解錠操作」を示す場合、ドア４１を解錠し、解錠により戸開したドア４１が戸閉したときにドア４１を施錠し、ドアセンサ３５から検出信号９４が出力されたときにドア４１の施錠を維持する。施錠が維持されたドア４１は戸開しない。さらに、制御部３１は、不正入室者の存在を通知する検出信号９４を警備センター２に設置されているセンター装置２１に送信する。これにより、入室時に不正な解錠操作を行った利用者を、セキュリティルーム４に入室させ、セキュリティルーム４内に閉じ込め、警備センター２から駆け付けた警備員に捕らえさせることができる。
【００１６】
記憶部３９（暗証番号記憶部、識別情報記憶部）には、登録者毎に、登録ＩＤ３９ａ、通常操作用暗証番号３９ｂおよび不正操作用暗証番号３９ｃがそれぞれに対応付けられて予め登録されている。
記憶部３９は、各登録者の登録ＩＤ３９ａ、通常操作用暗証番号３９ｂおよび不正操作用暗証番号３９ｃを記憶機器（例えば、半導体メモリ、磁気ディスク装置）を用いて記憶する。
【００１７】
入力暗証番号９２が当該登録者の通常操作用暗証番号３９ｂと一致する入力操作が「通常の解錠操作」であり、入力暗証番号９２が当該登録者の不正操作用暗証番号３９ｃと一致する入力操作が「不正な解錠操作」であり、読取ＩＤ９１に一致する登録ＩＤ３９ａが無い入力操作と入力暗証番号９２が当該登録者の通常操作用暗証番号３９ｂまたは不正操作用暗証番号３９ｃと一致しない入力操作とが「その他の解錠操作」である。
【００１８】
警備センター２には、警備員が常駐し、ドア４１のコントローラ３と通信するセンター装置２１が設置されている。ドア４１のコントローラ３と警備センター２のセンター装置２１とは、ＬＡＮ、インターネット、電話回線網などの通信網を介して、有線または無線で接続されている。
センター装置２１は、コントローラ３の制御部３１から警報通知９７が送信された場合、ディスプレイへの警報メッセージの表示やスピーカからの警報音の出力などにより、セキュリティルーム４内に不正者がいることを警備員に通知する。
不正者の存在を通知された警備員は、セキュリティルーム４に駆け付け、所定の方法（例えば、通常の解錠操作）でドア４１を戸開し、セキュリティルーム４内に閉じ込められている不正者を捕らえる。
【００１９】
図２は、実施の形態１におけるセキュリティシステム１のドア制御方法を示すフローチャートである。
実施の形態１におけるセキュリティシステム１のドア制御方法について、図２に基づいて以下に説明する。
コントローラ３の各部は、以下に説明する処理をＣＰＵを用いて実行する。
以下に説明する処理の手順はプログラムとして記憶機器に記憶され、プログラムはＣＰＵやＯＳにより実行される。
【００２０】
セキュリティシステム１において、セキュリティシステム１に登録されている登録者は、セキュリティルーム４に侵入しようとする不正者から脅迫などを受けてＩＤカードと暗証番号とを要求された場合、通常操作用暗証番号３９ｂではなく不正操作用暗証番号３９ｃをその不正者に伝える。
不正者は、奪い取ったＩＤカードと聞き出した暗証番号（不正操作用暗証番号３９ｃ）を使用してセキュリティルーム４への侵入を試みる。
【００２１】
＜Ｓ１１０＞
セキュリティルーム４への入室を希望する利用者（上記の不正者を含む）は、ドア４１に対する解錠操作として、ドア４１の脇に設置されている認証装置３３にＩＤカードをかざし、さらに、暗証番号入力装置３４のテンキーを押下して暗証番号を入力する。
認証装置３３は、近接しているＩＤカードからの電波を検出する。ＩＤカードからの電波を検出した認証装置３３は、ＩＤカードに記録されているＩＤを読み取り、読み取ったＩＤを読取ＩＤ９１として認証部３２に出力する。
暗証番号入力装置３４は、押下されたテンキーの情報を入力暗証番号９２として認証部３２に出力する。
認証部３２は、認証装置３３から出力された読取ＩＤ９１を入力し、また、暗証番号入力装置３４から出力された入力暗証番号９２を入力し、入力した読取ＩＤ９１および入力暗証番号９２に基づいて解錠操作の認証処理を行う。
【００２２】
認証処理として、以下の処理が認証部３２により実行される。
認証部３２は、記憶部３９を検索し、読取ＩＤ９１と一致する登録ＩＤ３９ａが有るか判定する。以下、読取ＩＤ９１と一致する登録ＩＤ３９ａを「利用者の登録ＩＤ３９ａ」という。
利用者の登録ＩＤ３９ａが有る場合、認証部３２は、利用者の登録ＩＤ３９ａに対応付けられて記憶部３９に記憶されている通常操作用暗証番号３９ｂおよび不正操作用暗証番号３９ｃを参照し、入力暗証番号９２が通常操作用暗証番号３９ｂと不正操作用暗証番号３９ｃとのいずれに一致するか判定する。
【００２３】
利用者の登録ＩＤ３９ａが有り、登録ＩＤ３９ａが通常操作用暗証番号３９ｂと一致する場合、認証部３２は、利用者により「通常の解錠操作」が行われたことを認証する。
利用者の登録ＩＤ３９ａが有り、登録ＩＤ３９ａが不正操作用暗証番号３９ｃと一致する場合、認証部３２は、利用者により「不正な解錠操作」が行われたことを認証する。
利用者の登録ＩＤ３９ａが無い場合、認証部３２は、利用者により「その他の解錠操作」が行われたことを認証する。
登録ＩＤ３９ａが通常操作用暗証番号３９ｂと不正操作用暗証番号３９ｃとのいずれにも一致しない場合、認証部３２は、利用者により「その他の解錠操作」が行われたことを認証する。
認証処理後、認証部３２は、認証した解錠操作を示す認証結果９３を制御部３１に出力する。
【００２４】
不正者による解錠操作は、入力暗証番号９２が不正操作用暗証番号３９ｃであるため、「不正な解錠操作」となる。つまり、不正者により解錠操作が行われた場合、認証結果９３は「不正な解錠操作」を示す。
【００２５】
＜Ｓ１２０＞
制御部３１は、Ｓ１１０において認証部３２から出力された認証結果９３を入力し、認証結果９３が「通常の解錠操作」を示すか判定する。
認証結果９３が「通常の解錠操作」を示す場合（“はい”）、処理はＳ１２１に進み、認証結果９３が「通常の解錠操作」を示さない場合（“いいえ”）、処理はＳ１３０に進む。
【００２６】
＜Ｓ１２１＞
Ｓ１２０において認証結果９３が「通常の解錠操作」を示す場合（“はい”）、制御部３１は、解錠信号９５をドア４１に出力する。
解錠信号９５を受けたドア４１は、電気錠を解錠し、戸開し、所定時間の経過後に戸閉する。
利用者は、ドア４１の戸開中にセキュリティルーム４に入室する。
Ｓ１２１の後、処理はＳ１４０に進む。
【００２７】
＜Ｓ１３０＞
Ｓ１２０において認証結果９３が「通常の解錠操作」を示さない場合（“いいえ”）、制御部３１は、認証結果９３が「不正な解錠操作」を示すか判定する。
認証結果９３が「不正な解錠操作」を示す場合（“はい”）、処理はＳ１３１に進む。
また、認証結果９３が「不正な解錠操作」を示さない場合（“いいえ”）、つまり、認証結果９３が「その他の解錠操作」を示す場合、ドア４１は解錠されず、処理は終了する。
このとき、ドア４１が解錠されないため、利用者はセキュリティルーム４に入室することができない。これにより、ＩＤカードを所持していない利用者や暗証番号が不明である利用者の入室を防ぎ、セキュリティを維持することができる。
【００２８】
＜Ｓ１３１＞
Ｓ１３０において認証結果９３が「不正な解錠操作」を示す場合（“はい”）、Ｓ１２１と同様に、制御部３１が解錠信号９５を出力し、ドア４１が解錠・戸開し、利用者（不正者）がセキュリティルーム４に入室し、ドア４１が戸閉する。
Ｓ１３１の後、処理はＳ１３２に進む。
【００２９】
＜Ｓ１３２＞
Ｓ１３０において認証結果９３が「不正な解錠操作」を示す場合（“はい”）、制御部３１は、「不正な解錠操作」が行われたことを示す警報通知９７を警備センター２のセンター装置２１に送信する。
コントローラ３の制御部３１から警報通知９７を受信したセンター装置２１は、ディスプレイ表示や警報音出力により、「不正な解錠操作」が行われたことを警備員に通知する。
センター装置２１から通知を受けた警備員は、セキュリティルーム４に駆け付ける。
Ｓ１３２の後、処理はＳ１３３に進む。
【００３０】
＜Ｓ１３３＞
Ｓ１３０において認証結果９３が「不正な解錠操作」を示す場合（“はい”）、制御部３１は、利用者の退室の可否を示す退室フラグを“退室不可”に設定する。退室フラグの初期値は“退室可”を示し、退室フラグは記憶機器に予め記憶されているものとする。
つまり、不正者がセキュリティルーム４に入室した場合、退室フラグは“退室不可”を示す。
Ｓ１３３の後、処理はＳ１４０に進む。
【００３１】
Ｓ１３１〜Ｓ１３３は、上記順序で行われる必要は無く、順不同である。
【００３２】
＜Ｓ１４０＞
Ｓ１２１またはＳ１３１においてドア４１が解錠し、戸開し、戸閉したとき、制御部３１は施錠信号９６をドア４１に出力し、施錠信号９６を受けたドア４１は電気錠を施錠する。例えば、ドア４１は戸閉を検出するセンサを備え、センサは戸閉の検出信号を制御部３１に出力し、制御部３１は戸閉の検出信号を受けたときに施錠信号９６を出力する。
但し、制御部３１から施錠信号９６を出力せず、戸閉を検出したドア４１が自律的に施錠してもよい。この場合、Ｓ１２１およびＳ１３１における制御部３１からドア４１への解錠信号９５は、解錠指示と戸閉後の施錠指示とを意味する。
Ｓ１４０の後、処理はＳ１５０に進む。
【００３３】
＜Ｓ１５０＞
「通常の解錠操作」によりセキュリティルーム４に入室した利用者（登録者）および「不正な解錠操作」によりセキュリティルーム４に入室した利用者（不正者）は、セキュリティルーム４から退室するために、ドア４１の前に立つ。
セキュリティルーム４内においてドア４１の上部に設置されているドアセンサ３５は、ドア４１の前に現れた利用者を検出したとき、検出信号９４をコントローラ３の制御部３１に出力する。コントローラ３の制御部３１は、ドアセンサ３５から出力された検出信号９４を入力する。
Ｓ１５０の後、処理はＳ１６０に進む。
【００３４】
＜Ｓ１６０＞
Ｓ１５０において検出信号９４を入力したコントローラ３の制御部３１は、退室フラグを参照し、利用者の退室可・不可を判定する。
退室フラグが“退室不可”を示す場合（“はい”）、つまり、不正者がセキュリティルーム４に入室した場合、ドア４１は解錠されず、処理は終了する。
【００３５】
このとき、ドア４１が解錠されないため、不正者は、セキュリティルーム４から退室できず、セキュリティルーム４内に閉じ込められる。
そして、Ｓ１３２において警備センター２から駆け付けた警備員は、所定の方法によりドア４１を戸開し、セキュリティルーム４内の不正者を捕らえる。
これにより、セキュリティルーム４に入室した不正者を捕らえ、他の者にセキュリティルーム４への不正侵入を諦めさせ、不正侵入を抑止し、セキュリティルーム４のセキュリティ性を高めることができる。
【００３６】
＜Ｓ１６１＞
退室フラグが“退室可”を示す場合（“いいえ”）、つまり、登録者がセキュリティルーム４に入室した場合、Ｓ１２１と同様に、制御部３１は解錠信号９５を出力し、ドア４１は解錠し、戸開し、登録者はセキュリティルーム４から退室する。
Ｓ１６１の後、処理はＳ１６２に進む。
【００３７】
＜Ｓ１６２＞
Ｓ１６１の後、ドア４１はＳ１４０と同様に電気錠を施錠し、処理は終了する。
【００３８】
上記では、ＩＤカードからＩＤを読み取る“カードリーダ”を認証装置３３として使用しているが、認証装置３３は“カードリーダ”以外の入力装置であっても構わない。
例えば、認証装置３３は、指紋、指静脈、声紋、虹彩、顔画像など、利用者の生体情報を取得する装置であってもよい。
【００３９】
また、認証装置３３を備えなくても構わない。このとき、コントローラ３の認証部３２は、入力暗証番号９２がいずれかの通常操作用暗証番号３９ｂに一致する場合の入力操作を「通常の解錠操作」と判定し、入力暗証番号９２がいずれかの不正操作用暗証番号３９ｃに一致する場合の入力操作を「不正な解錠操作」と判定し、入力暗証番号９２がいずれの通常操作用暗証番号３９ｂおよび不正操作用暗証番号３９ｃにも一致しない場合の入力操作を「その他の解錠操作」と判定する。ここで、通常操作用暗証番号３９ｂと不正操作用暗証番号３９ｃとに重複する暗証番号は無いものとする。
【００４０】
また、利用者がドア４１の前に立ち、ドアセンサ３５に検出させることを退出用の解錠操作として説明したが、退出用の解錠操作はこれに限られない。
例えば、ドア４１に設けられたドアノブの回転やドア４１に設けられた戸開用ボタンの押下を退出用の解錠操作としてもよい。ドアセンサ３５は、ドア４１に内蔵され、ドアノブの回転や戸開用ボタンの押下を退出用の開錠操作として検出する。
また例えば、セキュリティルーム４内にも認証装置３３や暗証番号入力装置３４などの入力装置を備え、退出用の解錠操作として、入室時と同様に、ＩＤや暗証番号などの識別情報を利用者に入力させてもよい。
この場合、退室フラグが“退室可”を示し、且つ、セキュリティルーム４内の入力装置に入力された識別情報が登録されている場合に、ドア４１は解錠され、登録者はセキュリティルーム４から退室できる。退室フラグが“退室可”を示しても、セキュリティルーム４内の入力装置に入力された識別情報が登録されていない場合には、ドア４１は解錠されず、登録者はセキュリティルーム４から退室できない。また、退室フラグが“退室不可”を示す場合、セキュリティルーム４内の入力装置に入力された識別情報の登録有無に関わらず、ドア４１は解錠されず、不正者はセキュリティルーム４から退室できない。セキュリティルーム４内に設置される入力装置は、退室用の解錠操作を検出するドアセンサ３５に相当し、識別情報の入力を退出用の解錠操作として検出する。
【００４１】
また、センター装置２１は、コンピュータではなく、ブザーや回転灯などの警報機器であっても構わない。警報通知９７の信号を入力した警報機器は、警報ブザーを鳴らし、または、回転点灯して、不正な解除操作による入室があったことを警備員に報知する。
【００４２】
実施の形態１では、以下のようなセキュリティシステム１について説明した。
セキュリティシステム１は、利用者に行われた解錠操作が不正な操作であると判断したとき、入室を許可すると共に警備センター２のセンター装置２１に警報を通知し、不正な操作で入室した者を退室できないように扉の制御を行う。つまり、セキュリティシステム１は、不正な操作をした者が入室した後、その者が退室するとき、解錠させないように通行制御を行う。
具体的には、セキュリティシステム１には通常操作用暗証番号３９ｂと不正操作用暗証番号３９ｃとの２つの暗証番号を登録しておき、セキュリティシステム１は不正操作用暗証番号３９ｃを用いて通行されたときを不正な操作による不正通行と認識する。
これにより、不正な操作をして入室した者の退室をできなくし、不正な操作をした者を警報の通知にてかけつけた警備員に捕らえさせることができるようになる。
【００４３】
実施の形態２．
実施の形態１では、登録ＩＤ３９ａと通常操作用暗証番号３９ｂとの入力を「通常の解錠操作」とし、登録ＩＤ３９ａと不正操作用暗証番号３９ｃとの入力を「不正な解錠操作」とし、その他を「その他の解錠操作」として説明した。
但し、実施の形態１とは異なる解錠操作を「通常の解錠操作」、「不正な解錠操作」および「その他の解錠操作」としてもよい。
実施の形態２では、実施の形態１と異なる「通常の解錠操作」、「不正な解錠操作」および「その他の解錠操作」の例について説明する。その他の事項は、実施の形態１と同様である。
【００４４】
＜実施例１＞
所定数の識別情報が入力されたか否かにより解錠操作を判定する。
例えば、登録される暗証番号は一つ（通常操作用暗証番号３９ｂ）とする。そして、コントローラ３の認証部３２は、ＩＤと暗証番号との両方が入力されたか否かにより解錠操作を判定する。
ＩＤと暗証番号との両方の入力を「通常の解錠操作」とし、ＩＤと暗証番号とのいずれかの入力を「不正な解錠操作」とする。「通常の解錠操作」および「不正な解錠操作」で入力されるＩＤおよび暗証番号は、登録されているものと一致するものとする。登録されていないＩＤ、暗証番号の入力を「その他の解錠操作」とする。
不正者に脅迫などされた場合、登録者は、ＩＤまたは暗証番号のいずれかのみを不正者に伝え、または、ＩＤまたは暗証番号のみを自ら入力する。これにより、不正者は不正な解錠操作によりセキュリティルーム４に入室することになる。そして、セキュリティシステム１は、入室した不正者をセキュリティルーム４内に閉じ込め、警備員に通報し、駆け付けた警備員に不正者を捕らえさせることができる。
【００４５】
＜実施例２＞
ＩＤの入力に用いられたＩＤカードが紛失の届け出のあったものか否かにより解錠操作を判定する。
例えば、認証装置３３のみを識別情報の入力装置として備える。また、登録者から紛失の届け出があった場合、管理者は、新たな登録ＩＤ３９ａが記録されたＩＤカードを登録者に発行し、紛失した旧ＩＤカードに記録されているＩＤの属性を「登録ＩＤ」から「紛失ＩＤ」に変更する。そして、コントローラ３の認証部３２は、認証装置３３に入力されたＩＤ（読取ＩＤ９１）が登録ＩＤ３９ａと紛失ＩＤとのいずれであるかにより解錠操作を判定する。
登録ＩＤの入力を「通常の解錠操作」とし、紛失ＩＤの入力を「不正な解錠操作」とし、その他のＩＤの入力を「その他の解錠操作」とする。
これにより、セキュリティシステム１は、窃取したＩＤカードを用いた不正な解錠操作によりセキュリティルーム４に入室した不正者をセキュリティルーム４内に閉じ込め、警備員に通報し、駆け付けた警備員に不正者を捕らえさせることができる。
【００４６】
＜実施例３＞
複数の識別情報の入力順序により解錠操作を判定する。
例えば、登録される暗証番号は一つ（通常操作用暗証番号３９ｂ）とする。そして、コントローラ３の認証部３２は、ＩＤと暗証番号との入力順序（読取ＩＤ９１と入力暗証番号９２との認証部３２への出力順序）により解錠操作を判定する。
ＩＤ→暗証番号（または、暗証番号→ＩＤ）の順による入力を「通常の解錠操作」とし、暗証番号→ＩＤ（または、ＩＤ→暗証番号）の順による入力を「不正な解錠操作」とする。「通常の解錠操作」および「不正な解錠操作」で入力されるＩＤおよび暗証番号は、登録されているものと一致するものとする。登録されていないＩＤおよび暗証番号の入力を「その他の解錠操作」とする。
また例えば、暗証番号入力装置３４のみを識別情報の入力装置として備え、暗証番号Ａと暗証番号Ｂとの２つの暗証番号（共に、通常操作用暗証番号３９ｂ）が登録される。そして、コントローラ３の認証部３２は、暗証番号入力装置３４に入力された２つの暗証番号の入力順序により解錠操作を判定する。
暗証番号Ａ→暗証番号Ｂの順による入力を「通常の解錠操作」とし、暗証番号Ｂ→暗証番号Ａの順による入力を「不正な解錠操作」とし、暗証番号Ａと暗証番号Ｂとの組み合わせ以外の２つの暗証番号の入力を「その他の解錠操作」とする。
不正者に脅迫などされた場合、登録者は、ＩＤや暗証番号の入力順序として不正な入力順序を不正者に伝え、または、ＩＤや暗証番号を不正な入力順序で自ら入力する。これにより、不正者は、不正な解錠操作によりセキュリティルーム４に入室することになる。そして、セキュリティシステム１は、入室した不正者をセキュリティルーム４内に閉じ込め、警備員に通報し、駆け付けた警備員に不正者を捕らえさせることができる。
【００４７】
＜実施例４＞
暗証番号の入力方法により解錠操作を判定する。
例えば、暗証番号入力装置３４のみを識別情報の入力装置として備える。また、利用者は、暗証番号の入力時に少なくとも一度、テンキー（または、暗証番号入力後の決定キー）を強押し、または、長押しする。そして、コントローラ３の認証部３２は、キーの強押しによる入力の有無、キーの長押しによる入力の有無に基づいて解錠操作を判定する。暗証番号入力装置３４は、圧力センサやタイマを備え、押下されたキーにかかった圧力を圧力センサにより計測し、また、連続してキーが押下されている連続押下時間をタイマにより計測する。コントローラ３の認証部３２は、暗証番号入力装置３４で計測された圧力値が所定値以上である場合にキーの強押しによる入力が有ったと判定し、暗証番号入力装置３４で計測された連続押下時間が所定値以上である場合にキーの長押しによる入力が有ったと判定する。
キーの強押やキーの長押しが所定回以上有った入力を「通常の解錠操作」とし、キーの強押やキーの長押しが所定回以上無かった入力を「不正な解錠操作」とする。「通常の解錠操作」および「不正な解錠操作」で入力される暗証番号は、登録されているものと一致するものとする。登録されていないＩＤおよび暗証番号の入力を「その他の解錠操作」とする。
不正者に脅迫などされた場合、登録者は、キーの強押しやキーの長押しを所定回数より少なくして、暗証番号を入力する。これにより、不正者は不正な解錠操作によりセキュリティルーム４に入室することになる。そして、セキュリティシステム１は、入室した不正者をセキュリティルーム４内に閉じ込め、警備員に通報し、駆け付けた警備員に不正者を捕らえさせることができる。
【００４８】
実施の形態１では「入力値（暗証番号）」、実施の形態２の実施例１では「入力数」、実施例２では「入力値（ＩＤ）」、実施例３では「入力順序」、実施例４では「入力方法（強押し、長押し）」を通常、不正またはその他の解錠操作の条件とする形態を説明した。
但し、解錠操作の条件は、これら以外の条件であっても構わない。
また、各条件は、それぞれ組み合わせても構わない。
例えば、組み合わせた全ての「通常の解錠操作」の条件を満たす場合を「通常の解錠操作」とし、組み合わせた「通常の解錠操作」の条件の少なくともいずれかを満たさない場合を「不正な解錠操作」とする。「通常の解錠操作」および「不正な解錠操作」の入力値は、登録されているものと一致するものとする。登録されていない情報の入力を「その他の解錠操作」とする。
【００４９】
例えば、実施の形態１の条件（暗証番号の属性）と実施の形態２の実施例２の条件（ＩＤの属性）を組み合わせてもよい。
このとき、コントローラ３の認証部３２は、読取ＩＤ９１が「登録ＩＤ３９ａ」で且つ入力暗証番号９２が「通常操作用暗証番号３９ｂ」である場合を「通常の解錠操作」と判定する。
また、コントローラ３の認証部３２は、読取ＩＤ９１が「紛失ＩＤ」で且つ入力暗証番号９２が「通常操作用暗証番号３９ｂ」または「不正操作用暗証番号３９ｃ」である場合および読取ＩＤ９１が「登録ＩＤ３９ａ」または「紛失ＩＤ」で且つ入力暗証番号９２が「不正操作用暗証番号３９ｃ」である場合を「不正な解錠操作」と判定する。
また、コントローラ３の認証部３２は、読取ＩＤ９１が「登録ＩＤ３９ａ」と「紛失ＩＤ」とのいずれでもない場合および入力暗証番号９２が「通常操作用暗証番号３９ｂ」と「不正操作用暗証番号３９ｃ」とのいずれでもない場合を「その他の解錠操作」と判定する。
これ以外の組み合わせを解錠操作の条件としても構わない。
各条件を組み合わせることにより、セキュリティ性を高めることができる。
【図面の簡単な説明】
【００５０】
【図１】実施の形態１におけるセキュリティシステム１の構成図。
【図２】実施の形態１におけるセキュリティシステム１のドア制御方法を示すフローチャート。
【符号の説明】
【００５１】
１  セキュリティシステム、２  警備センター、３  コントローラ、４  セキュリティルーム、２１  センター装置、３１  制御部、３２  認証部、３３  認証装置、３４  暗証番号入力装置、３５  ドアセンサ、３９  記憶部、３９ａ  登録ＩＤ、３９ｂ  通常操作用暗証番号、３９ｃ  不正操作用暗証番号、４１  ドア、９１  読取ＩＤ、９２  入力暗証番号、９３  認証結果、９４  検出信号、９５  解錠信号、９６  施錠信号、９７  警報通知。
【図１】
0005014258.tif 000002
【図２】
0005014258.tif 000003